(57)【要約】    【課題】  コピー牽制用紙を用いることなく、利用券の不正使用を確実に防止することが出来る駐輪場管理装置を提供する。  【解決手段】  入出用ゲートと、利用券を発行する入場管理装置と、利用券に付加された識別手段を読み取るための読取装置と、読取装置で読み取ったバーコードに基づいて入出用ゲートの開閉を制御する制御装置とが備えられた駐輪場管理装置において、前記制御装置に、読取装置で読み取ったバーコードが過去に入出用ゲートの開放に用いられたバーコードと同一か否かを判別して、その識別手段が記入された利用券により入出用ゲートの開放が行なわれている場合には入出用ゲートの開放を行なわないようにするためのゲート開閉判別部を構築した。  【選択図】  図２
2005234841.tif 000002
【特許請求の範囲】
【請求項１】
入出用ゲートと、利用券を発行する入場管理装置と、利用券に付加された識別手段を読み取るための読取装置と、読取装置で読み取った識別手段に基づいて入出用ゲートの開閉を制御する制御装置とが備えられた駐輪場管理装置において、前記制御装置には、読取装置で読み取った識別手段が過去に入出用ゲートの開放に用いられた識別手段と同一か否かを判別して、その識別手段が記入された利用券により入出用ゲートの開放が行なわれている場合には入出用ゲートの開放を行なわないようにするためのゲート開閉判別部が構築されていることを特徴とする駐輪場管理装置。
【請求項２】
識別手段がバーコードからなることを特徴とする請求項１に記載の駐輪場管理装置。
【発明の詳細な説明】
【技術分野】
【０００１】
本発明は、主として駐輪場への自転車の入出を管理するための駐輪場管理装置に関する。
【背景技術】
【０００２】
一般にこの種の駐輪場管理装置は、駐輪スペースの入口側には、利用券を発行するための券売機と、利用券に書き込まれた例えばバーコードなどの識別手段を読み取るための入場管理装置と、利用者が自転車と共に入場するための入場ゲートとが設けられ、また駐輪スペースの出口側には、利用者が自転車と共に退出するための退出ゲートと、利用券の識別手段を読み取って料金を精算するための料金精算装置と、料金精算装置で精算された利用券を読み取り、料金精算装置からの情報に基づいて、退出ゲートの開閉を制御するようにした退出管理装置とが備えられている。
【０００３】
そして以上の駐輪場管理装置を設置した駐輪場では、利用者はまず券売機で利用券を購入して、利用券に書き込まれている識別手段を入場管理装置に読み取らせるのであって、入場管理装置は、読み取られた利用券が適正なものであれば入場用ゲートを開く一方、利用者は、自転車を押して入場ゲートから入場し、駐輪スペース内に自転車を止める。  そして駐輪場から自転車を出す際には、料金精算装置に利用券の識別手段を読み取らせて料金を精算した上で、この利用券を退出管理装置に挿入し、退出管理装置により退出ゲートを開いて、自転車を退出ゲートから駐輪場外へ退出させるようにしている。
【０００４】
ところで前記した駐輪場管理装置では、例えば料金精算装置で精算後の利用券をコピーして、正規の利用券に加えて、コピーされた利用券による不正使用の可能性がある。
【０００５】
そのため従来では、例えば利用券をコピー牽制用紙から形成して、利用券をコピーしたものでは、退出管理装置で識別手段の読取ができないようにして、不正に退出ゲートが開かないようにした管理装置が提案されている。（特許文献１参照）
【特許文献１】特開平１１−２３２５０６号  しかしながら前記公開公報に開示された管理装置では、特殊なコピー牽制用紙を用いて利用券を作成する必要があり、それだけランニングコストが高くなる不具合がある。
【発明の開示】
【発明が解決しようとする課題】
【０００６】
本発明は以上の実情に鑑みて開発したものであって、目的とするところは、コピー牽制用紙を用いることなく、利用券の不正使用を確実に防止することが出来る駐輪場管理装置を提供することにある。
【課題を解決するための手段】
【０００７】
請求項１に記載の発明は、入出用ゲートと、利用券を発行する入場管理装置と、利用券に付加された識別手段を読み取るための読取装置と、読取装置で読み取った識別手段に基づいて入出用ゲートの開閉を制御する制御装置とが備えられた駐輪場管理装置において、前記制御装置には、読取装置で読み取った識別手段が過去に入出用ゲートの開放に用いられた識別手段と同一か否かを判別して、その識別手段が記入された利用券により入出用ゲートの開放が行なわれている場合には入出用ゲートの開放を行なわないようにするためのゲート開閉判別部が構築されていることを特徴とするものである。
【０００８】
また請求項２に記載の発明は、請求項１に記載の識別手段がバーコードからなることを特徴とするものである。
【発明の効果】
【０００９】
請求項１に記載の発明によれば、利用券がコピー牽制用紙から形成されなくても、例えば利用券がコピーされた場合において、利用券により入出用ゲートを開いて自転車などを駐輪スペースから搬出した時には、その利用券のコピーでの自転車などの搬出を行なうことが出来ず、利用券の不正使用を確実に防止することが出来るに至ったのである。
【００１０】
請求項２に記載の発明によれば、請求項１に記載の発明の効果に加えて、利用券の変形や傷などの外的要因に強く、しかも利用券も安価に提供することが出来、ランニングコストがそれだけ安くなる。
【発明を実施するための最良の形態】
【００１１】
図１に示す駐輪場管理装置は、自転車を保管するためのものであって、基本的には、駐輪スペース１の入口側に、主として利用者が自転車と共に入場するための入場側ゲート２と、利用券３０の発行を行なう入場管理装置３とが設けられ、入場管理装置３には、利用券３０に書き込まれている識別手段としてのバーコード３１の読取装置３２が搭載されている。
【００１２】
また駐輪スペース１の出口側には、主として利用者が自転車と共に退出するための退出側ゲート４と、利用券３０に書き込まれているバーコード３１をバーコード読取装置５１により読み取って料金を精算するための料金精算装置５と、料金精算装置５で精算された利用券３０のバーコード３１をバーコード読取装置６１により読み取り、料金精算装置５からの情報に基づいて、退出側ゲート４の開閉を行なう退出管理装置６とが設けられている。
【００１３】
退出管理装置５には、入場管理装置３、料金精算装置５、及び退出管理装置６に搭載された各バーコード読取装置３２・５１・６１の検出情報に基づいて、入場側ゲート２及び退出側ゲート４の開閉を制御するための制御装置７が搭載されている。
【００１４】
この制御装置７はコンピュータから構築されているが、シーケンサーから構築してもよい。
【００１５】
また駐輪スペースには、駐輪スペース内に自転車を預けた利用者が外部に出るための出口１０が設けらており、この出口１０は、外部からは人が駐輪スペース１内に入ることが出来ない構造のものとされている。
【００１６】
従って、駐輪スペース1内への入場は入場側ゲート２から行なわれる。
【００１７】
そして図に示す実施形態では、制御装置７を構成するコンピュータのプログラム上に、退出側ゲート２の開放に用いられたバーコード３１の情報を記録するためのバーコード情報記録部７１と、このバーコード情報記録部７１に記録されたバーコード３１の情報（駐輪場のコードと利用券発行時の月、日、時、分、連番）に基づき、入場管理装置３に設けられた読取装置３２で読み取ったバーコード３１の情報が過去に入出用ゲートの開放に用いられたバーコード３１の情報と同一か否かを判別して、同一である場合、換言すれば、そのバーコード３１が記入された利用券３０により入出用ゲートの開放が行なわれている場合には入場側ゲート２の開放を行なわないようにするためのゲート開閉判別部７２とが構築されている。
【００１８】
次に以上の構成からなる駐輪場管理装置の作動を図４及び図５に示すフローチャートに従って説明する。
【００１９】
先ず自転車を駐輪スペース１に預ける場合には、入場管理装置３の利用券発行釦を押す（ステップ１０１）と、入場管理装置３から利用券３０が発行される（ステップ１０２）。そして利用者がその利用券３０を取る（ステップ１０３）と、入場側ゲート２を開くための指令信号が制御装置７から入場管理装置３を介して入場側ゲート２に送られて（ステップ１０４）、入場側ゲート２が開かれる（ステップ１０５）のであって、利用者は、自転車と共に開かれた入場側ゲート２から入場して、駐車スペース１に自転車を止め（ステップ１０５）た後、出口１０から外に出るのである。
【００２０】
次に預けた自転車を駐車スペースから出す場合には、まず利用券３０を入場管理装置３のバーコード読取装置３１に挿入する（ステップ２０１）すると、利用券３０が有効か否かの判定、即ち、入場管理装置３のバーコード読取装置３１で読み取られたバーコード３１の情報が、過去に退出側ゲート４の開放に用いられたバーコード３１の情報と同一のものでないかをバーコード情報記録部７１に記録されたバーコード３１の情報に基づいて判別（ステップ２０２）して、同一の情報がない場合、即ち、バーコード読取装置３１に挿入された利用券３０のバーコード情報により退出側ゲート４が開かれた事実がない場合には、利用券３０が利用者に返却されると共に、入場側ゲート２を開くための指令信号が制御装置７から入場管理装置３を介して入場側ゲート２に送られて（ステップ２０３）、入場側ゲート２が開かれる（ステップ２０４）。
【００２１】
そこで利用者は、入場側ゲート２から入場して、自転車を駐車スペース１から取り出した上で、料金精算装置５のバーコード読取装置５１に利用券３０を挿入（ステップ２０５）し、利用券３０の判定を行なう（ステップ２０６）と、精算料金が料金精算装置５に表示（ステップ２０７）されるので、利用者は、精算金額を料金精算装置５に投入（ステップ２０８）すると、その精算データが制御装置７に送られる（ステップ２０９）と共に、利用券３０が返却される（ステップ２１０）。
【００２２】
利用者は、返却された利用券３０を退出管理装置６のバーコード読取装置６１に挿入（ステップ２１１）して、精算データの照合（ステップ２１２）を行う。
【００２３】
その精算データが制御装置７に記録されている場合には、その精算データの削除が行なわれると共に、その利用券３０のバーコード３１の情報がバーコード情報記録部７２に記録（ステップ２１３）され、退出側ゲート４を開くための指令信号が制御装置７から退出管理装置３を介して退出側ゲート４に送られて（ステップ２１４）、退出側ゲート４が開かれる（ステップ２１５）のであって、利用者は、退出側ゲート４から自転車と共に出るのである。
【００２４】
またステップ２１２で精算データの照合が行なわれた際、その精算データが記録されていない場合、換言すれば、精算が行なわれていない場合には、利用券３０が利用者に返却（ステップ２１６）されて、料金の精算を促すのである。
【００２５】
ところで、例えば正規の利用券３０をコピーした利用券がステップ２０１で入場管理装置３のバーコード読取装置３２に挿入された場合において、ステップ２０２で判別されて、バーコード情報記録部７１に記録されているバーコードの情報の1つと同一である時、換言すれば、既に正規の利用券３０を用いて退出側ゲート４が開かれた場合には、バーコード読取装置３２に挿入された利用券は返却（ステップ２１７）されると共に退出側ゲート４は開かない（ステップ２１８）のである。
【００２６】
斯くして以上の駐輪場管理装置によれば、例えば利用券３０がコピーされた場合でも、利用券３０により、退出側ゲート４を開いて自転車を駐輪スペース１から搬出した場合には、その利用券３０のコピーでの自転車の搬出を行なうことが出来ないので、利用券３０の不正使用を確実に防止することが出来るのである。
【００２７】
以上の実施形態では、制御装置７のゲート開閉判別部７２により、入場側ゲート２の開閉を制御するようにしたが、これに限定されるものではなく、例えば駐輪スペース１に別途利用者用の入口が別途設けられている場合には、制御装置７のゲート開閉判別部７２により、退出側ゲート４の開閉を制御するようにしてもよい。
【００２８】
また以上の実施形態では、識別手段としてバーコード３１が書き込まれた利用券３０を用いたが、これに限定されるものではなく、例えば識別手段としてＱＲコードや磁気データが書き込まれたものでもよい。
【００２９】
また以上の実施形態では、自転車の駐輪を例にして説明したが、自転車に限定されるものではなく、バイク等の駐輪にも適用可能である。
【図面の簡単な説明】
【００３０】
【図１】本発明にかかる駐輪場管理装置の説明図。
【図２】本発明にかかる駐輪管理装置の構成図。
【図３】利用券の説明図。
【図４】本発明にかかる駐輪管理装置の作動を説明するフローチャート。
【図５】本発明にかかる駐輪管理装置の作動を説明するフローチャート。
【符号の説明】
【００３１】
１        駐輪スペース
２        入場側ゲート（入出用ゲート）
３        入場管理装置
３０      利用券
３１      バーコード（識別手段）
３２      バーコード読取装置
４        退出側ゲート（入出用ゲート）
５        料金精算装置
５１      バーコード読取装置
６        退出管理装置
６１      バーコード読取装置
７        制御装置
７１      バーコード情報記録部
７２      ゲート開閉判別部
【図１】
2005234841.tif 000003
【図２】
2005234841.tif 000004
【図３】
2005234841.tif 000005
【図４】
2005234841.tif 000006
【図５】
2005234841.tif 000007